(57)【要約】【課題】  Ｏ脚を矯正する矯正具に関し、日常的に行われる座位での足首から足先にかけての姿勢を拘束して、生活習慣に起因するＯ脚の原因を除去することにより、Ｏ脚の矯正及び予防をする矯正具を提供する。【解決手段】  両足の足首ないし踵を離隔しないように拘束する踵拘束部５と、足首を床面から離隔させる高さ調整可能な台座１とを備えている。正座したときにつま先がまっすぐ後方へ向くように、内旋した下腿部を外旋方向へ向けて、Ｏ脚を矯正する。踵よりつま先側の位置で両足の間に挿入されるスペーサ６を備えたものは、下腿部を外旋方向へ向ける作用が大きくなる。正座したときに日常的に使用することで、内旋した下肢も徐々に外旋方向へ向けられ、Ｏ脚が矯正される。【選択図】      図１
2005253601.tif 000002
【特許請求の範囲】
【請求項１】
両足の足首ないし踵を離隔しないように拘束する踵拘束部(5)と、足首を床面から離隔させる高さ調整可能な台座(1)とを備えた、Ｏ脚矯正具。
【請求項２】
踵よりつま先側の位置で両足の間に挿入されて当該両足のつま先側を離隔させるスペーサ(6)を備えた、請求項１記載のＯ脚矯正具。
【請求項３】
足の甲と床面との間に挿入される甲当て(3)を備えた、請求項１又は２記載のＯ脚矯正具。
【請求項４】
踵と尻との間に挿入される尻当て(2)を備えた、請求項１、２又は３記載のＯ脚矯正具。
【発明の詳細な説明】
【技術分野】
【０００１】
この発明は、Ｏ脚を矯正する矯正具に関するもので、日常的に行われる座位での足首から足先にかけての姿勢を拘束して、生活習慣に起因するＯ脚の原因を除去することにより、Ｏ脚の矯正及び予防をする矯正具に関するものである。
【背景技術】
【０００２】
脚に装着して使用するＯ脚矯正具として、従来、足首から膝にかけての下腿を副木で拘束して下肢を真っ直ぐにするものや、足と膝とをベルトで拘束して膝が外側に広がるのを矯正する矯正具が提案されている。
【０００３】
しかしこのような従来の矯正具は、立ち居振る舞いに不便であったり、装着が面倒である等の問題があった。
【特許文献１】特公平７‐９８０４６号公報
【特許文献２】特公平８‐１２０号公報
【特許文献３】登録実用新案第３０９０３３１号公報
【発明の開示】
【発明が解決しようとする課題】
【０００４】
長年Ｏ脚の治療にかかわってきた本願発明者の知見によれば、Ｏ脚は、正しくない座り方を日常的に繰り返すことにより起こる、生活習慣病である。従って、そのことに本人が気付かなければ、たとえ一時的に矯正できたとしてもまた元に戻り、一生Ｏ脚のままである。日本人の９割がＯ脚と言われているが、その原因は、欧米人と違い、日本人は畳や床の上に座る習慣があり、かつそのときに、Ｏ脚を引き起こす座り方をしていることにある。
【０００５】
Ｏ脚は、足首が硬く、そのため座るときに足首が痛くて十分に底屈できない人に起こる。足首の硬い人は、図９のように足先を内側に向けた座り方となり、膝から下（下腿部）が、内旋位の状態となる。この内旋位の状態が続くと、立ったときに膝が外側に開くようになり、Ｏ脚になっていくのである。
【０００６】
この発明は、以上の知見に基づき、正座するときにのみ使用する器具でＯ脚を予防及び矯正する矯正具を提供することを課題としている。
【課題を解決するための手段】
【０００７】
本願発明のＯ脚矯正具は、硬い足首を徐々に底屈矯正して軟らかくするもので、図９に示すように、正座したときにつま先がまっすぐ後方へ向くように、内旋した膝から下（下腿部）を外旋方向へ向けて、Ｏ脚を矯正するものである。
【０００８】
本願の発明に係るＯ脚矯正具は、両足の足首ないし踵を離隔しないように拘束する踵拘束部５と、足首を床面から離隔させる高さ調整可能な台座１とを備えている。
【０００９】
請求項２に記載のように、上記構成を備えたＯ脚矯正具であって、踵よりつま先側の位置で両足の間に挿入されて当該両足のつま先側を離隔させるスペーサ６を備えたものは、下腿部を外旋方向へ向ける作用が大きく、従ってＯ脚矯正作用も強くなる。
【００１０】
上記構成のＯ脚矯正具に、請求項３に記載のように、足の甲と床面との間に挿入される甲当て３を設けることにより、また請求項４に記載のように、踵と尻との間に挿入される尻当て２を設けることにより、足の甲が床面に押圧されたり、尻に踵が押圧されて痛みを伴うのを防止した、より使いやすいＯ脚矯正具が得られる。
【発明の効果】
【００１１】
この発明の矯正具を使用すれば、正座したときに踵拘束部５が両足の踵が離れるのを防ぎ、足首の底屈が不十分な人も台座１で足首が持上げられることから、つま先が真っ直ぐ後方へ向くように足の姿勢が拘束され、下肢の内旋が起こらず、Ｏ脚になるのを防止できる。またこの発明の矯正具を日常的に使用することで、内旋した下肢も徐々に外旋方向へ向けられ、Ｏ脚が矯正される。
【００１２】
Ｏ脚は生活習慣病であるため、矯正後も元の状態に戻ることも考えられるが、日常的にこの発明の矯正具を使用すれば、長期間にわたり美脚を維持できる。
【発明を実施するための最良の形態】
【００１３】
以下、図面を参照してこの発明の実施形態を説明する。図１ないし図５は、座布団型にしたものの例であり、図６及び図７は、足首に装着するサポータタイプの例である。
【００１４】
図１ないし図４において、１は座布団として使用する台座、２は台座１の側辺に折畳み自在に連接された尻当て、３は台座１の後辺に折畳み自在に連接された甲当て、４は台座１の高さを高くしたいときに用いる副台座、５ａないし５ｄは踵拘束部、６ａ及び６ｂはつま先側を開いて下肢の外旋を強めるのに使用するスペーサである。
【００１５】
台座１は、座布団やクッションなどのように、内部に綿や発泡ウレタンを充填ないし挿入して所定厚さとしたクッション材で、使用する人の足首が硬いときは高くし、比較的柔らかいときは薄くする。この矯正具を使用することにより、足首も柔軟になってくるので、矯正の進行に応じて台座１の厚さを薄くしてゆく。この台座の厚さ調整は、台座１に副台座４を重ねることにより行うのが便利で、厚さの薄い複数枚の副台座４を準備し、はじめは複数枚の副台座４を台座１の下に重ねて使用し、足首が柔らかくなるに応じて副台座４を１枚ずつ外してゆき、最終的に台座１のみでつま先を伸ばした姿勢で正座できるようにする。なお、足首が十分に柔らかくなれば、このような矯正具を用いなくても両足の踵をつけてつま先を真っ直ぐ伸ばした姿勢で正座することができるようになり、そのような習慣がつけば、Ｏ脚になることはない。なお、図１に示した尻当て２及び甲当て３は、不要なときには台座１の下へ折り込むことにより、高さ調整用の副台座としても利用できるものである。
【００１６】
踵拘束部５ａないし５ｄは、台座１上に正座したとき、両足の踵が左右に離れないように拘束するためのもので、図１に示した５ａは、両足首を縛って拘束するもの、図３に示した５ｂは、台座１の後縁部に近接して縫着した２つのベルト７で左右それぞれの足首を拘束するもの、図４に示した５ｃは、台座１の後縁上面に形成した２つの突部８ａの間に両足首を挿入することにより、踵が離れないように拘束するもの、図５に示した５ｄは、台座１の後縁中央に形成した足の甲部分を挿入する凹所９に足を嵌め込むことによって、その凹所の側壁部で左右の踵が離れないように拘束するものである。
【００１７】
図１の拘束具５ａは、略中間部を台座１の後縁上面に縫着された１本のベルト１０で形成されており、このベルトの一側には、中間部に縦方向のスリット１１が設けられており、先端内側には、面ファスナ１２が縫着されている。ベルト１０を開いた状態で２本のベルトの間に両足首を挿入して座り、前記他側のベルトをスリット１１に通してベルト先端相互を左右に引っ張ることにより、足首を拘束した後、面ファスナ１２を他側のベルトの根元部分に係着して両足首を固定する。
【００１８】
図３の踵拘束具５ｂは、２本のベルト７のそれぞれに足首を通して使用するもので、足首を通した後、ベルトに適宜設けた面ファスナなどの留具で足首を締めて動かないようにする。２本のベルト７相互は、台座１の上に近接して縫着されているため、それぞれのベルトに挿通して固定された足首は、左右に離れるのが拘束される。
【００１９】
図４及び図５に示す踵拘束部５ｃ、５ｄは、足首を凹所８、９に嵌め込んだ状態で正座することにより、両足首が左右に離れるのが突部８ａ又は凹所の両側の壁面９ａで防止されて、両足の踵が離れない状態で拘束されるというものである。
【００２０】
図１及び図４に示したスペーサ６ａは、正面視で小判型、上面ないし側面視で略矩形形状のクッション材で、台座１の後縁中央に水平方向の前後軸回りに捻り回動できるように台座１に縫着されている。使用者は前述した踵拘束部５ａないし５ｃで両足の踵をつけた状態で足の甲部分が台座１の後縁からはみ出るようにして座る。すなわち、足の甲ないしつま先は、台座１を置いた床面（又は甲当て３）上に当接する。このときスペーサ６ａは、両方の足（足首から先の部分）の内側に挿入され、離れないように固定した踵に対してつま先側を外側に開くように矯正する。図５に示したスペーサ６ｂも同様に、凹所９内に挿入された両方の足の間に位置して、両足のつま先側がハの字状に広がるように矯正する。すなわち、スペーサ６ａ及び６ｂは、正座した状態でのつま先を真っ直ぐ後方に伸ばすより更に外側へ押し広げて、下肢に強い外旋状態を生じさせ、Ｏ脚の原因となる下肢の内旋をより強く矯正するものである。
【００２１】
図１及び図４に示すスペーサ６ａは、小判型形状の長手方向を横方向にすることで足の開きを大きくし、縦方向にすることで足の開きを狭くするように調整できるものである。一方、図５に示すスペーサ６ｂは、凹所９が両方の足の甲部分をつま先側が広がるハの字状にして包み込む形状となっている。
【００２２】
前述したように、Ｏ脚になるのは足首が硬くて十分に底屈できない（足の甲が脛の延長上に来るようにつま先を真っ直ぐ伸ばすことができない）人に生じやすい。そのような足首の硬い人は、この発明の矯正具を用いて両足の踵が離れないように拘束した状態で正座すると、足の甲やつま先が床面に押し付けられたり、踵が尻に強く押し付けられたりして、痛くなるおそれがある。これを防止するために台座１にある程度の厚さを持たせているのであるが、長時間正座するときや痛みを強く感じるときは、甲当て３を後方に広げ、尻当て２を下腿と大腿ないし尻との間に折畳んで挿入して、甲や尻が床面や踵に強く押し当てられるのを防止する。
【００２３】
図６及び図７に示すサポータタイプのＯ脚矯正具において、１５は基布、１は台座、５ｅは踵拘束部、６ｃはスペーサである。基布１５は、踵を露出させる切込み１９を後部の長手中央に備えた周方向に伸縮性のある筒状の厚手の織布で、従来からある足首固定用のサポータと同様のものである。台座１は、基布１５の足首の前方となる部分に縫着したクッション材で、図示のものは、ポケット状に形成され、その中に挿入するクッション材の枚数によって高さを調整できるようにしてある。踵拘束部５ｅは、左右の足にそれぞれ装着する基布の踵の直上の位置に基端を縫着して反対側の足の方に延びるベルトであり、左右のベルト相互は面ファスナによって係着できるようにしてある。スペーサ６ｃは、基布の踵より前方の位置で足の内側となる部分に縫着されたクッション材である。図６は右足用を示し、左足用は図６と対称である。
【００２４】
図７は、上述したサポータタイプの矯正具１６を足首に装着した状態を示した図で、台座１が脛の下部前方に位置し、スペーサ６ｃがつま先寄りの足内側に位置する。踵拘束部５ｅとなるベルト１４は、踵１７の直上部分で反対側の足の方に延びている。左右のサポータをそれぞれの足首に装着し、立位となったり歩行するときは、ベルト１４を基布の足首部分に巻き付けておく。正座するときは、両膝をついた状態で両足の踵をつけ、その状態で左右のベルト１４相互を面ファスナで留める。この状態で正座すれば、ベルト１４で両踵が左右に離れるのが阻止され、スペーサ６ｃが両方の足の踵より前方の部分の内側に位置して、つま先側が開く方向に矯正する。そして、台座１が足首と床ないし座布団との間に位置して足首を持上げるから、十分に底屈ができない人でも踵をつけてつま先を開いた状態で正座することができる。台座１の高さは足首の硬さに合せてポケットに入れるクッション材の枚数によって調整する。
【００２５】
なお、図の例では、踵拘束用のベルト１４を左右の基布にそれぞれ設けているが、一方の基布に設けたベルトで両足首が離れないように拘束することもできるし、両足の基布の内側部分に取り付けた面ファスナで、踵をくっつけたときにその状態で両側の基布の内側相互が係着されるようにすることもできる。
【００２６】
以上説明した実施形態より明らかなように、この発明のＯ脚矯正具は、正座姿勢になる前後の簡単な操作で、あるいは正座姿勢をとることのみによって、足が拘束されてＯ脚を矯正するように働くものであり、装脱が非常に簡単である。また、正座するときにのみ使用する座布団型のものはもちろん、足首に装着するサポータタイプのものでも、歩行や走行などの動作に全く支障を生じないから、在宅時など日常的に常時使用することができ、従って無理なくＯ脚の予防や矯正を行うことができるものである。
【図面の簡単な説明】
【００２７】
【図１】本発明の第１の実施例を示した斜視図
【図２】図１の踵拘束部を拡大した斜視図
【図３】踵拘束部の他の例を示した斜視図
【図４】踵拘束部の更に他の例を示した斜視図
【図５】第２実施例を示した斜視図
【図６】第３実施例を示した斜視図
【図７】第３実施例を装着した説明図
【図８】本発明矯正具で下腿部が外旋となる座り方を示す図
【図９】下腿部が内旋となる座り方を示す図
【符号の説明】
【００２８】
１  台座
２  尻当て
３  甲当て
５  踵拘束部
６  スペーサ
【図１】
2005253601.tif 000003
【図２】
2005253601.tif 000004
【図３】
2005253601.tif 000005
【図４】
2005253601.tif 000006
【図５】
2005253601.tif 000007
【図６】
2005253601.tif 000008
【図７】
2005253601.tif 000009
【図８】
2005253601.tif 000010
【図９】
2005253601.tif 000011